(57)【要約】【課題】ハーネスに多少の外力が加わっても、導線が外れない導線の保持構造、当該導線の保持構造を備えた表示装置及びテレビジョン受信機を提供すること。【解決手段】導線の保持構造は、導線の配線方向に交差する方向に形成してあり、前記導線の移動を規制する規制爪部と、該規制爪部に対し前記配線方向に並設され、前記配線方向及び前記規制爪部の形成方向に交差する方向に突出し、前記導線の移動を規制する規制凸部とを備える。【選択図】図６
2016206615.tif 000002
【特許請求の範囲】
【請求項１】
導線の配線方向に交差する方向に形成してあり、前記導線の移動を規制する規制爪部と、
該規制爪部に対し前記配線方向に並設され、前記配線方向及び前記規制爪部の形成方向に交差する方向に突出し、前記導線の移動を規制する規制凸部と
を備えることを特徴とする導線の保持構造。
【請求項２】
前記規制凸部は、前記規制爪部の先端よりも根元側に配されている
ことを特徴とする請求項１に記載の導線の保持構造。
【請求項３】
前記規制凸部は、円柱状をなす
ことを特徴とする請求項１又は請求項２に記載の導線の保持構造。
【請求項４】
前記規制凸部は、多角柱状をなす
ことを特徴とする請求項１又は請求項２に記載の導線の保持構造。
【請求項５】
前記規制凸部は、横三角柱状をなす
ことを特徴とする請求項１又は請求項２に記載の導線の保持構造。
【請求項６】
前記規制爪部はリブと一体としてある
ことを特徴とする請求項１から請求項５のいずれか一項に記載の導線の保持構造。
【請求項７】
一側に表示面を有する表示部と、前記表示面の反対側に配され、導線が接続されている電子部品と、前記導線を保持する請求項１から請求項６のいずれか一項に記載の導線の保持構造と
を備えることを特徴とする表示装置。
【請求項８】
前記表示部の表示面周縁を覆う枠状の前キャビネットと、
該前キャビネットと対向する側を覆う後キャビネットと、
前記表示部の側面を被覆する枠部及び前記表示部に平行な板部を有する中間キャビネットとを備え、
前記導線の保持構造を前記板部に形成してある
ことを特徴とする請求項７に記載の表示装置。
【請求項９】
請求項７又は請求項８に記載の表示装置と、
テレビジョン放送を受信する受信部と
を備え、
前記受信部にて受信したテレビジョン放送に基づいて、前記表示装置に映像を表示するようにしてあること
を特徴とするテレビジョン受信機。
【発明の詳細な説明】
【技術分野】
【０００１】
本発明は、導線の保持を行う導線の保持構造、当該導線の保持構造を備えた表示装置及びテレビジョン受信機に関する。
【背景技術】
【０００２】
近年、電化製品の小型化、薄型化を実現するために、筐体内の配線を通すスペースが制限されるようになっている。液晶表示装置では、狭額縁化に伴いハーネス（配線）を通すスペースが制限され、ハーネスは与えられたスペース内に確実に保持されることが望まれている。ハーネスが自由に動ける範囲が大きいと、組み立て時に筐体などによりハーネスを挟んでしまうことに起因する断線といった生産上の不具合を生じる。また、ハーネスと電子部品との接触による電子部品のショート故障、電源ノイズが制御信号に重畳したことによる誤動作などの安全上の問題が起こる可能性がある。
【０００３】
一方、ハーネスを保持するためにはワイヤホルダを用いるのが確実であるが、部品点数、組立工数の増加につながる。それに対して、フックとリブとを互い違いに、キャビネットに一体成形して、当該フックとリブによりハーネスを固定している（例えば、特許文献１）。
【先行技術文献】
【特許文献】
【０００４】
【特許文献１】特開２０１３−１５０３３０号公報
【発明の概要】
【発明が解決しようとする課題】
【０００５】
しかしながら、フックとリブによる固定箇所の前後でハーネスを曲げて配線するなどのように、外力が加わる場合には、ハーネスがフックより外れてしまうことがある。本発明は斯かる事情に鑑みてなされたものであって、ハーネスに多少の外力が加わっても、外れない導線の保持構造等を提供することにある。
【課題を解決するための手段】
【０００６】
本発明に係る導線の保持構造は、導線の配線方向に交差する方向に形成してあり、前記導線の移動を規制する規制爪部と、該規制爪部に対し前記配線方向に並設され、前記配線方向及び前記規制爪部の形成方向に交差する方向に突出し、前記導線の移動を規制する規制凸部とを備えることを特徴とする。
【０００７】
本発明に係る導線の保持構造は、前記規制凸部は、前記規制爪部の先端よりも根元側に配されていることを特徴とする。
【０００８】
本発明に係る導線の保持構造は、前記規制凸部は、円柱状をなすことを特徴とする。
【０００９】
本発明に係る導線の保持構造は、前記規制凸部は、多角柱状をなすことを特徴とする。
【００１０】
本発明に係る導線の保持構造は、前記規制凸部は、横三角柱状をなすことを特徴とする。
【００１１】
本発明に係る導線の保持構造は、前記規制爪部はリブと一体としてあることを特徴とする。
【００１２】
本発明に係る表示装置は、一側に表示面を有する表示部と、前記表示面の反対側に配され、導線が接続されている電子部品と、前記導線を保持する上記に記載の導線の保持構造とを備えることを特徴とする。
【００１３】
本発明に係る表示装置は、前記表示部の表示面周縁を覆う枠状の前キャビネットと、該前キャビネットと対向する側を覆う後キャビネットと、前記表示部の側面を被覆する枠部及び前記表示部に平行な板部を有する中間キャビネットとを備え、前記導線の保持構造を前記板部に形成してあることを特徴とする。
【００１４】
本発明に係るテレビジョン受信機は、上記の表示装置と、テレビジョン放送を受信する受信部とを備え、前記受信部にて受信したテレビジョン放送に基づいて、前記表示装置に映像を表示するようにしてあることを特徴とする。
【発明の効果】
【００１５】
本発明にあっては、ハーネスに多少の外力が加わっても、ハーネスを保持することが可能となる。
【図面の簡単な説明】
【００１６】
【図１】テレビジョン受信機の一例を示す前側の外観斜視図である。
【図２】テレビジョン受信機の一例を示す後側の外観斜視図である。
【図３】テレビジョン受信機の一例を示す分解斜視図である。
【図４】ミドルキャビネットを示す前方斜視図である。
【図５】ミドルキャビネットを示す後方斜視図である。
【図６】ミドルキャビネットの部分拡大斜視図である。
【図７】フックとピンとにより、ハーネスを固定する様子を示す説明図である。
【図８】実施形態２におけるフック及びピンを示す斜視図である。
【図９】実施形態３のフックとピンとを示す斜視図である。
【図１０】実施形態４におけるフック及びピンを示す斜視図である。
【図１１】実施形態５におけるフック及び凸部を示す斜視図である。
【発明を実施するための形態】
【００１７】
以下、本発明を、その実施形態を示す図面に基づいて詳述する。以下の説明では、図において矢符で示す上下、前後、及び左右を使用する。
【００１８】
（実施形態１）
図１はテレビジョン受信機１の一例を示す前側の外観斜視図である。図２はテレビジョン受信機１の一例を示す後側の外観斜視図である。テレビジョン受信機１はベゼル（前キャビネット）１１、液晶パネル（表示部）１２、ミドルキャビネット（中間キャビネット）１９、リアキャビネット（後キャビネット）２０、チューナ部（受信部）２１、電源部２２を含む。スタンド３はテレビジョン受信機１を立てた状態で支持するもので、テレビジョン受信機１とは別体で構成される。テレビジョン受信機１は本発明の表示装置を備えた機器である。
【００１９】
図３はテレビジョン受信機１の一例を示す分解斜視図である。テレビジョン受信機１は、上述に加えて、複数枚からなる光学シート群１３、ミドルシャーシ１４、導光板１５、ＬＥＤ（Ｌｉｇｈｔ  Ｅｍｉｔｔｉｎｇ  Ｄｉｏｄｅ）基板１６、放熱板１７、バックライトシャーシ１８を含む。
【００２０】
ベゼル１１は矩形枠状をなし、液晶パネル１２の前側周縁部、上下及び左右の側部を覆っている。ベゼル１１は鉄やアルミニウムなどの金属で形成する。液晶パネル１２は矩形板状をなし、前面に映像を表示する。光学シート群１３を構成する各光学シートは液晶パネル１２の後側に配され、液晶パネル１２に入射する光を拡散又は集光する等の機能を備える。ミドルシャーシ１４は矩形枠状をなし、液晶パネル１２、光学シート群１３を保持するとともに、導光板１５の周縁部を押さえる構造物である。ベゼル１１はバックライトシャーシ１８に固定される。
【００２１】
導光板１５は、ＬＥＤ基板１６に設けてあるＬＥＤから入射した光を前側に出射し、液晶パネル１２の後面に照射する。ＬＥＤ基板１６は短冊状をなし、一面に所定間隔でＬＥＤが並設してある。
【００２２】
放熱板１７は側面視Ｌ字状をなしている。放熱板１７の前後方向にわたる板状部分にＬＥＤ基板１６が固定される。ＬＥＤ基板１６に実装されたＬＥＤは、導光板１５の下端面に対向配置される。放熱板１７はＬＥＤから発生する熱を放散させる役割を担う。放熱板１７は熱伝導性の良い金属、例えば、アルミニウムで形成する。
【００２３】
ミドルキャビネット１９は矩形枠状をなしている。ミドルキャビネット１９は、下側の内部には左右方向にわたる板状部（板部）１９４を有している。リアキャビネット２０は一面が開口された有底箱型形状をなしている。ミドルキャビネット１９、リアキャビネット２０は、ＰＣ（ｐｏｌｙｃａｒｂｏｎａｔｅ：ポリカーボネート）、ＡＢＳ樹脂（アクリロニトリル、ブタジエン、スチレン共重合合成樹脂）などの樹脂で形成する。
【００２４】
チューナ部２１はテレビジョン放送を受信する。受信したテレビジョン放送に基づいて液晶パネル１２は映像を表示する。電源部２２はテレビジョン受信機１の各部に電源を供給する。
【００２５】
テレビジョン受信機１は次のようにして組み立てられる。バックライトシャーシ１８を用意する。バックライトシャーシ１８に、予めＬＥＤ基板１６を取り付けた放熱板１７を固定する。バックライトシャーシ１８に図示しない反射シート、導光板１５を積層し、ミドルシャーシ１４をバックライトシャーシ１８に固定する。ミドルシャーシ１４がバックライトシャーシ１８に固定されることにより、導光板１５の位置決めがされる。ミドルシャーシ１４の上に、光学シート群１３、液晶パネル１２を積層する。ベゼル１１を液晶パネル１２の前側周縁部を覆うように被せる。ベゼル１１の側面及び上面に設けてある貫通孔にねじを通し、当該ねじを貫通孔に対応する位置に設けてある雌ねじに螺合することにより、ベゼル１１をバックライトシャーシ１８に固定する。これにより、バックライトシャーシ１８に積層された上記構成が、バックライトシャーシ１８とベゼル１１とで、挟持固定される。
【００２６】
さらに、ベゼル１１の上下左右の面を覆うようにミドルキャビネット１９を被せる。バックライトシャーシ１８にチューナ部２１、電源部２２等を取り付け、ハーネスの配線を行なう。ハーネスは例えば電源部２２と制御基板（図示しない）とを結ぶ。
【００２７】
そして、リアキャビネット２０をバックライトシャーシ１８の後側から被せ、リアキャビネット２０に設けた貫通孔及び当該貫通孔に対応する位置に設けてあるミドルキャビネット１９の貫通孔にねじを通す。当該ねじは、前述の貫通孔に対応する位置に設けてあるバックライトシャーシ１８の雌ねじにねじを螺合する。それにより、リアキャビネット２０をバックライトシャーシ１８に固定する。
【００２８】
次に、ミドルキャビネット１９について、更に説明を加える。図４はミドルキャビネット１９を示す前方斜視図である。図５はミドルキャビネット１９を示す後方斜視図である。ミドルキャビネット１９は矩形枠状をなしている。ミドルキャビネット１９はそれぞれ、断面略Ｌ字状をなす、上側部１９１、右側部１９２、左側部１９３を含む。ミドルキャビネット１９の下側は、左右方向に長く下端から上方に延在する板状部１９４及び当該板状部１９４と連なり、前方に突出する下板部１９５を含む。さらに、ミドルキャビネット１９は、下板部１９５の前端から斜め下方に延在する下外装部１９６を含む。ミドルキャビネット１９の板状部１９４及び下板部１９５により、断面略Ｌ字状の部材を形成している。ミドルキャビネット１９の上側部１９１、右側部１９２、左側部１９３それぞれの一方の面には、ねじが貫通するねじ孔１９ａが所定箇所に形成してある。板状部１９４にも同様に、ねじ孔１９ａが所定箇所に形成してある。
【００２９】
図６はミドルキャビネット１９の部分拡大斜視図である。図６はおおよそ図５に示した矩形枠Ａ内を示している。ミドルキャビネット１９には、ハーネス（導線）を保持する構造（保持構造）として、フック（規制爪部）１９ｂ、ピン（規制凸部）１９ｃが形成されている。図６に示す例では、フック１９ｂの根元は円筒状リブ１９ｄと一体となっている。フック１９ｂの根元は円筒状リブ１９ｄの側面と接続しており、その接続箇所は前後方向中間より、やや後ろ寄りである。フック１９ｂは円筒状リブ１９ｄから上方向に延びる矩形板状の本体部１９ｂ１と、本体部１９ｂ１の先端から根元に（上から下に）向かって逆テーパー状の突起部１９ｂ２とを含む。板状部１９４のフック１９ｂに対向する部分は切欠きを設けてある。ピン１９ｃは円柱状をなし、板状部１９４から後ろ方向に突出している。ピン１９ｃは突起部１９ｂ２よりも下側、フック１９ｂの根元方向の位置にある。ピン１９ｃと円筒状リブ１９ｄとの距離は、配線されるハーネスが通る値としてある。
【００３０】
図７はフック１９ｂとピン１９ｃとにより、ハーネスｈを固定する様子を示す説明図である。図７Ｂは図７ＡのＶＩＩ−ＶＩＩ線による断面図である。図７に示すようにハーネスｈは、フック１９ｂを左右方向に横切り、ピン１９ｃの左より上方向に向かう配線となっている。ハーネスｈはフック１９ｂの根元で、円筒状リブ１９ｄに当たるので、ハーネスｈが下方向に移動することが規制される。フック１９ｂの先端の突起部１９ｂ２とピン１９ｃとにより、ハーネスｈが上方向に移動することが規制される。ハーネスｈはフック１９ｂと板状部１９４とにより、前後方向の動きが規制される。
【００３１】
実施形態１では以下の様な効果を奏する。ハーネスｈをフック１９ｂとピン１９ｃにより保持するので、配線した後にハーネスに多少の力が加わったとしても、ハーネスｈがフック１９ｂから外れてしまうことを防ぐことが可能となる。特に、図７に示すようにフック１９ｂの近傍で、ハーネスｈがフック１９ｂの開口方向（上方向）に曲げて配線される場合に、ピン１９ｃによるハーネスｈの規制は、特に有効である。
【００３２】
（実施形態２）
実施形態２はフック１９ｂを板状部１９４に形成する形態に関する。図８は実施形態２におけるフック１９ｂ及びピン１９ｃを示す斜視図である。フック１９ｂは板状部１９４と一体となるように形成してある。その他の構成については、実施形態１と同様であるので、説明を省略する。
【００３３】
実施形態２は実施形態１と同様に、ハーネスｈを配線した後に、多少の力が加わったとしても、ハーネスｈがフック１９ｂから外れてしまうことを防ぐことが可能となる。
【００３４】
（実施形態３）
実施形態３では、ピン１９ｃに逆テーパーをつける形態に関する。図９は実施形態３のフック１９ｂとピン１９ｃとを示す斜視図である。実施形態３では、ピン１９ｃに逆テーパーをつけてある。すなわち、ピン１９ｃの根元の直径ｒ１は、先端の直径ｒ２より短くなっている。その他の構成については、実施形態１と同様であるので、説明を省略する。
【００３５】
実施形態３では、ピン１９ｃに逆テーパーをつけてあるので、ハーネスｈに力がかかった場合でも、ピン１９ｃが円柱状である場合よりも、ハーネスｈがピン１９ｃの長手方向に動いて、ピン１９ｃから抜けてしまうことを抑制するという効果を奏する。したがって、ハーネスｈがフック１９ｂから外れてしまうことを、より確実に防ぐことが可能となる。
【００３６】
（実施形態４）
実施形態４では、ピン１９ｃのその他の形状に関する。図１０は実施形態４におけるフック１９ｂ及びピン１９ｃを示す斜視図である。実施形態４では、ピン１９ｃを多角柱状としてある。図１０に示す例では六角柱状としてある。その他の構成については、実施形態１と同様であるので、説明を省略する。
【００３７】
実施形態４では、ピン１９ｃを多角柱状としてあるので、ハーネスｈに対して延在方向の力が掛かった場合でも、ピン１９ｃに対して、ハーネスｈが滑りにくくなる。それにより、ハーネスｈがフック１９ｂから外れてしまうことを、より確実に防ぐことが可能となる。
【００３８】
（実施形態５）
実施形態５では、ピン１９ｃを異なる形状としたものに関する。図１１は実施形態５におけるフック１９ｂ及び凸部１９ｅを示す斜視図である。凸部１９ｅは上述の実施形態に示したピン１９ｃと同様な機能を担う。図１１に示すように凸部１９ｅは横三角柱状としてあり、三角柱の一側面にあたる部分が板状部１９４と一体としてある。凸部１９ｅの上側の面は前側（先端）から後側（根元）に向かって逆テーパー状の斜面１９ｅ１としてある。凸部１９ｅの下面１９ｅ２は板状部１９４と垂直にしてある。その他の構成については、実施形態１と同様であるので、説明を省略する。
【００３９】
凸部１９ｅが上述の斜面１９ｅ１を有することにより、ハーネスを凸部１９ｅに引っ掛けやすい構造になっている。右側（紙面左側）から配線したハーネスをフック１９ｂに引っ掛ける。フック１９ｂの右側（紙面左側）に位置するハーネスを、斜面１９ｅ１の上から下に滑らせる。凸部１９ｅの先端から外れたハーネスを凸部１９ｅの下面１９ｅ２に沿わせて、凸部１９ｅの根元に引っ掛ける。引っ掛けた先のハーネスを上方向に配線する。
【００４０】
実施形態５では、凸部１９ｅを横三角柱状としたことにより、ハーネスを容易に凸部１９ｅに引っ掛けることが可能となる。
【００４１】
なお、上述の実施形態では、テレビジョン受信機１が保持構造を備えるものとしたが、キャビネット内にハーネスなどの導線を配線し保持する必要があるならば、テレビジョン受信機以外の電気機器にも適用可能である。
【００４２】
本発明に係る導線の保持構造は、導線ｈの配線方向に交差する方向に形成してあり、前記導線ｈの移動を規制する規制爪部１９ｂと、該規制爪部１９ｂに対し前記配線方向に並設され、前記配線方向及び前記規制爪部１９ｂの形成方向に交差する方向に突出し、前記導線ｈの移動を規制する規制凸部１９ｃとを備えることを特徴とする。
【００４３】
本発明にあっては、規制凸部１９ｃにより導線ｈが規制爪部１９ｂから外れてしまうことを防ぐことが可能となる。
【００４４】
本発明に係る導線の保持構造は、前記規制凸部１９ｃは、前記規制爪部１９ｂの先端よりも根元側に配されていることを特徴とする。
【００４５】
本発明にあっては、導線ｈに力がかかった場合、その力は規制凸部１９ｃにかかるので、導線ｈが規制爪部１９ｂから外れてしまうことを防ぐことが可能となる。
【００４６】
本発明に係る導線の保持構造は、前記規制凸部１９ｃは、円柱状をなすことを特徴とする。
【００４７】
本発明にあっては、規制凸部１９ｃは曲面で導線ｈを受けるので、導線ｈに力がかかった場合でも、断線してしまうことを抑制することが可能となる。
【００４８】
本発明に係る導線の保持構造は、前記規制凸部１９ｃは、多角柱状をなすことを特徴とする。
【００４９】
本発明にあっては、導線ｈに力が掛かった場合でも、規制凸部１９ｃで導線ｈの動きを抑制することが可能となる。
【００５０】
本発明に係る導線の保持構造は、前記規制凸部１９ｅは、横三角柱状をなすことを特徴とする。
【００５１】
本発明にあっては、ハーネスを容易に凸部１９ｅに引っ掛けることが可能となる。
【００５２】
本発明に係る導線の保持構造は、前記規制爪部１９ｂはリブ１９ｄと一体としてあることを特徴とする。
【００５３】
本発明にあっては、リブ１９ｄと一体成型ができるので、金型コストの上昇を抑えることが可能となる。
【００５４】
本発明に係る表示装置は、一側に表示面を有する表示部１２と、前記表示面の反対側に配され、導線ｈが接続されている電子部品と、前記導線ｈを保持する導線の保持構造とを備えることを特徴とする。
【００５５】
本発明にあっては、規制凸部１９ｃにより導線ｈが規制爪部１９ｂから外れてしまうことを防ぐことが可能となる。
【００５６】
本発明に係る表示装置は、前記表示部１２の表示面周縁を覆う枠状の前キャビネット１１と、該前キャビネット１１と対向する側を覆う後キャビネット２０と、前記表示部１２の側面を被覆する枠部及び前記表示部に平行な板部１９４を有する中間キャビネット１９とを備え、前記導線の保持構造を前記板部１９４に形成してあることを特徴とする。
【００５７】
本発明にあっては、表示装置において、規制凸部１９ｃにより導線ｈが規制爪部１９ｂから外れてしまうことを防ぐことが可能となる。
【００５８】
本発明に係るテレビジョン受信機１は、上記に記載の表示装置と、テレビジョン放送を受信する受信部２１とを備え、前記受信部２１にて受信したテレビジョン放送に基づいて、前記表示装置に映像を表示するようにしてあることを特徴とする。
【００５９】
本発明にあっては、テレビジョン受信機１において、規制凸部１９ｃにより導線ｈが規制爪部１９ｂから外れてしまうことを防ぐことが可能となる。
【００６０】
各実施例で記載されている技術的特徴（構成要件）はお互いに組合せ可能であり、組み合わせすることにより、新しい技術的特徴を形成することができる。
今回開示された実施形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００６１】
１        テレビジョン受信機（表示装置）
１１      ベゼル（前キャビネット）
１２      液晶パネル（表示部）
１３      光学シート群
１４      ミドルシャーシ
１５      導光板
１６      ＬＥＤ基板
１７      放熱板
１８      バックライトシャーシ
１９      ミドルキャビネット（中間キャビネット）
１９４    板状部（板部）
１９ａ    ねじ孔
１９ｂ    フック（規制爪部）
１９ｂ１  本体部
１９ｂ２  突起部
１９ｃ    ピン（規制凸部）
１９ｄ    円筒状リブ（リブ）
１９ｅ    凸部（規制凸部）
２０      リアキャビネット（後キャビネット）
２１      チューナ部（受信部）
２２      電源部
ｈ        ハーネス（導線）
３        スタンド
【図１】
2016206615.tif 000003
【図２】
2016206615.tif 000004
【図３】
2016206615.tif 000005
【図４】
2016206615.tif 000006
【図５】
2016206615.tif 000007
【図６】
2016206615.tif 000008
【図７】
2016206615.tif 000009
【図８】
2016206615.tif 000010
【図９】
2016206615.tif 000011
【図１０】
2016206615.tif 000012
【図１１】
2016206615.tif 000013